(57)【要約】【課題】ハジキを無くし、傘の軽薄短小化を達成する下ロクロ固定構造を提供する。【解決手段】中棒の上方に固定される磁性体の吸着リングと、下ロクロの上面に設けられた磁性体の吸着部とを備え、下ロクロを上方へ摺動させて、吸着部を吸着リングに当接させ、双方を磁力によって吸着させて開傘状態に固定し、傘布が全開した状態からさらに上方に下ロクロを摺動させて、受け骨が中棒に対してほぼ直交放射方向に延長する状態にあるときを臨界状態とし、吸着リングは、臨界状態にある下ロクロをさらに上方へ摺動させて受け骨が中棒から放射下方向に延長する状態で、かつ、張力が掛かった状態で傘布が全開状態にあるときに吸着部上面に当接する位置で固定されている。【選択図】図４
2009045360.tif 000002
【特許請求の範囲】
【請求項１】
受け骨の枢支部を備えて中棒に摺動自在に案内される下ロクロを中棒の上方で固定して開傘状態を維持させるための構造であって、
中棒の上方にて中棒に環装した状態で固定される磁性体からなる吸着リングと、
下ロクロの上面に磁性体リングの下面と対面するように設けられた磁性体からなる吸着部と、
を備え、
吸着部と吸着リングは、少なくとも一方が磁化されて、吸着リングの下面と吸着部とが磁力により吸着可能であり、下ロクロを上方へ摺動させて、吸着部を吸着リングに当接・吸着させて開傘状態に固定し、
下ロクロを中棒に対して上方に摺動させるのに連動して親骨が傘布を全開させた状態からさらに上方に下ロクロを摺動させて、受け骨が中棒に対してほぼ直交放射方向に延長する状態にあるときを臨界状態とし、
吸着リングは、臨界状態にある下ロクロをさらに上方へ摺動させて受け骨が中棒から放射下方向に延長する状態で、かつ、張力が掛かった状態で傘布が全開状態にあるときに吸着部上面に当接する位置で固定されている
ことを特徴とする傘における下ロクロ固定構造。
【請求項２】
請求項１に記載の下ロクロ固定構造に、傘を閉じた状態で維持する機能をさらに備えさせた下ロクロ固定構造であって、
傘を閉じたときの下ロクロ下面の位置にて中棒に固定される副吸着リングと、下ロクロの下面に設けられて副吸着リングと磁力により吸着可能な副吸着部とを備え、
下ロクロを中棒に対して下方に摺動して副吸着部を副吸着リングに当接・吸着させて傘を閉じた状態で固定することを特徴とする傘における下ロクロ固定構造。
【請求項３】
請求項２において、吸着部および副吸着は、中空円筒状の下ロクロに環装される中空円筒状の永久磁石の上面および下面を下ロクロの上面および下面に露出させてなることを特徴とする傘における下ロクロ固定構造
【請求項４】
請求項３において、中棒の少なくとも下ロクロを案内する長さ部分の表面が非磁性体で、前記中空円筒状磁石の内壁と磁力によって吸着しないことを特徴とする下ロクロ固定構造。
【発明の詳細な説明】
【技術分野】
【０００１】
この発明は、傘における下ロクロ固定構造に関し、具体的にはハジキを用いずに中棒に対して摺動可能な下ロクロを固定して開傘状態を維持するための構造に関する。また、傘を閉じた状態で維持する機能をさらに備えた下ロクロ固定構造にも関する。
【背景技術】
【０００２】
図５に従来の下ロクロ固定構造を備えた傘を示した。この図において、傘は、中棒２に固定されるとともに親骨３の枢支部を備えた上ロクロ５と、受け骨４の枢支部を備えて中棒２に案内されて摺動する中空筒状の下ロクロ１とからなるロクロ構造を備え、下ロクロ１は、傘を開くときに人が手に持って当該下ロクロ１を上方へ摺動させるための把持部７を一体的に備えている。中棒３内に出没可能なハジキ６は、上端を水平な底辺とする略三角形状の薄いプレートで、中棒２内にあるバネによって突出方向へ付勢されている。
【０００３】
開傘時に下ロクロ１を上方へ摺動させると、ハジキ６は、突出状態から一旦、下ロクロ１の筒内壁により押圧されて中棒２内に収納されたのち、下ロクロ１をさらに上方へ摺動させると、筒内壁による圧力より開放され、下ロクロ１の下方にて突出し、その底辺が下ロクロ１の下端に当接する。それによって、下ロクロ１の下方への摺動動作を不能にし、開傘状態を維持させる。
【発明の開示】
【発明が解決しようとする課題】
【０００４】
従来の下ロクロ固定構造では、開傘状態にある傘を閉じるとき、ハジキを指先の腹でバネに抗して中棒内に押し込む。そのため、薄いプレートの端面が指先の腹に食い込み、痛みを感じることがある。ハジキを押し込むと、下ロクロが下端の支えを失って急速に下方に摺動し、ハジキを押し込んだ指が下ロクロと中棒との間に挟まれることもある。
【０００５】
ハジキは、中棒内にバネを収納する構造のため、バネが中棒内で引っかかるなどして、ハジキが出没不能となる不良が発生することがある。経年変化による錆や変形などによって出没不能になることもある。このように、ハジキを必要とするロクロ構造自体に問題がある。
【０００６】
また、ハジキを収納する中棒は、当然のことながら中空であり、ハジキを収納するだけの太さを要する。また、中棒におけるハジキが収納される部分では、矩形縦長の穴が形成されており、この部分では強度が他の部分より弱くなる。そのため、この部分で強度を確保するためにも、中棒には有る程度の厚さが必要となっている。したがって、中棒を極めて細くすることができず、畳んだときの傘の痩身化に限界があった。肉厚な中棒は、傘の軽量化を阻む原因ともなっている。
【０００７】
傘に対する軽量化、痩身化の要求は、とくに、折り畳み傘に対して大きい。また折り畳み傘には、痩身化とともに、畳んだときの短小化も求められている。しかし、ハジキは、上端を水平な底辺とする略三角形状であり、バネの圧力により中棒の外へ逸脱してしまわないように、中棒延長方向に沿う上下方向の辺の長さが中棒外に突出している長さよりかなり長くなっている。そのため、伸縮式の中棒構造を有する折り畳み傘では、折り畳み時の傘の全長を規定する最上段の中棒にハジキを収納するための長さが必要となり、折り畳み時の傘の全長を劇的に短縮することも困難であった。
【０００８】
さらに、折り畳み傘の中棒は、下へ向かって径が太くなるように入れ子式になっており、入れ子の段数が多い折り畳み傘ほど、折り畳み時に、全長の長さに反比例して径が太くなる。もちろん、重量もかさむ。したがって、ハジキの存在自体が折り畳み傘の極小・超軽量化を阻む原因となっている。もちろん、中棒を細くすることによる軽量化は、折り畳み傘だけでなく、傘の携行時／使用時を問わず、快適性を向上させるために必要である。
【０００９】
上記課題に鑑み、本発明者らは、下ロクロを磁力により固定することを考えた、しかし、傘が閉じようとする力に抗して大きな磁力で下ロクロを固定して開傘状態を維持しようとすると、傘を閉じる操作に際し、大きな磁力に抗して下ロクロを下方に押し下げる為に大きな労力を要する。たとえば、力の弱い女性や子供であれば、一度開いた傘を閉じることができなくなる。
【００１０】
したがって、本発明は、磁力を用いて傘を開いた状態に固定する構造を採用するに当たり、傘の軽量・痩身化、折り畳み傘における収納時の小型化などを達成するとともに、強力な磁石を用いずに開傘状態で強固に固定できるとともに、少ない力で容易に傘を閉じることができるようにすることを目的としている。
【課題を解決するための手段】
【００１１】
上記目的を達成するために、本発明者らは、開傘状態時の下ロクロの位置について考察した。そして、張力が掛かった状態でカバー（傘布）が展開しているときに、下ロクロが親骨と受け骨とを介して上方へ押し上げられるように力が作用する位置で下ロクロを固定すれば、大きな磁力を用いなくても下ロクロを固定できると考えた。
【００１２】
本発明は、上記考察に基づいて創作されたもので、受け骨の枢支部を備えて中棒に摺動自在に案内される下ロクロを中棒の上方で固定して開傘状態を維持させるための構造であって、
中棒の上方にて中棒に環装した状態で固定される磁性体からなる吸着リングと、
下ロクロの上面に磁性体リングの下面と対面するように設けられた磁性体からなる吸着部と、
を備え、
吸着部と吸着リングは、少なくとも一方が磁化されて、吸着リングの下面と吸着部とが磁力により吸着可能であり、下ロクロを上方へ摺動させて、吸着部を吸着リングに当接・吸着させて開傘状態に固定し、
下ロクロを中棒に対して上方に摺動させるのに連動して親骨が傘布を全開させた状態からさらに上方に下ロクロを摺動させて、受け骨が中棒に対してほぼ直交放射方向に延長する状態にあるときを臨界状態とし、
吸着リングは、臨界状態にある下ロクロをさらに上方へ摺動させて受け骨が中棒から放射下方向に延長する状態で、かつ、張力が掛かった状態で傘布が全開状態にあるときに吸着部上面に当接する位置で固定されている
ことを特徴とする傘における下ロクロ固定構造としている。
【００１３】
また、上記下ロクロ固定構造には、傘を閉じたときの下ロクロ下面の位置にて中棒に固定される副吸着リングと、下ロクロの下面に設けられて副吸着リングと磁力により吸着可能な副吸着部とを備え、
下ロクロを中棒に対して下方に摺動して副吸着部を副吸着リングに当接・吸着させて傘を閉じた状態で固定するとしてもよい。
【００１４】
なお、吸着部と副吸着を備えた上記構造において、中空円筒状の下ロクロに環装される中空円筒状の永久磁石の上面および下面を下ロクロの上面および下面に露出させて吸着部と副吸着部とすれば、二つの磁石を用いなくても、傘の開いた状態と閉じた状態とを一つの磁石の磁力で固定することができ、製造工程の簡略化やコストダウンが図れる。さらに、中棒の少なくとも下ロクロを案内する長さ部分の表面が非磁性体で、前記中空円筒状磁石の内壁と磁力によって吸着しないこととすれば、中棒に対して下ロクロがより円滑に摺動する。
【発明の効果】
【００１５】
本発明のロクロ構造によれば、磁力により下ロクロを固定する構造を採用することで、ハジキを不要とし、ハジキ操作時の指の損傷や、ハジキの出没不良による傘の機能不全をなくすことができるとともに、中棒にハジキを収納するための長さや太さが不要となり、傘の軽薄化を達成できる。折り畳み傘においては、折り畳み時の全長を規定する最上段の中棒を短くでき、折り畳み時の全長を極めて短くすることができる。  
また、弱い磁力でも十分な強度で開傘状態に固定でき、かつ少ない力で容易に傘を閉じることができる。
【発明を実施するための最良の形態】
【００１６】
＝＝＝本発明の実施例＝＝＝
本発明における下ロクロ固定構造を採用した傘の基本的な構造は、従来と同様に、親骨の枢支部を備えて中棒の上端に固定される上ロクロと、受け骨の枢支部を備えて上ロクロの下方にて中棒に摺動自在に案内される下ロクロとを備え、下ロクロを中棒上部で固定することで、開傘状態に固定する。しかし、本実施例の下ロクロ固定構造によれば、磁力を用いて下ロクロを固定し、かつ、その固定状態を容易に解除して傘を閉じることができる。
【００１７】
図１に本発明の実施例に係る下ロクロ固定構造を採用した傘の開傘状態を示した。また図２に当該下ロクロ固定構造の概略図を示した。本実施例における下ロクロ固定構造は、下ロクロ１の上端面に設けられた磁性体からなる吸着部１１と、中棒２の上部に環装・固定された扁平な中空筒状の磁性体からなる吸着リング１２とからなる。吸着部１１と吸着リング１２の少なくとも一方は磁化されており、一方のみが磁化されていれば双方が磁力により吸着可能となる。双方が磁化されている場合には吸着部１１の上面と磁性体リング１２の下面１３とが異極となるように磁化されて双方が吸着可能となる。
【００１８】
本実施例では、中空円筒状の永久磁石１０に下ロクロ１の外観をなす中空円筒状の樹脂成型体１４を環装するとともに、筒状磁石１０の上端面１１を下ロクロ１の上端面にドーナツ状に露出させ、この露出した上端面を吸着部１１としている。また、当該吸着部１１の上面とほぼ同形の磁化されていない磁性体からなるリングを中棒２の上方に環装・固定し、これを吸着リング１２としている。
【００１９】
また本発明では、中棒２を可能な限り細くすることが目的の一つであることから、中棒２の下方に設けられて、傘を閉じたときに下ロクロ１を摺動不可能に固定するハジキ（下ハジキ）も無いほうが望ましい。本実施例では、下ハジキが無くても傘を閉じた状態で下ロクロ１を磁力で固定することができるようになっている。図３に傘を閉じたときの状態を示した。図２に示すように、下ロクロ１が環装される円筒磁石１０の下端面２１が上端面１１と同様にドーナツ状に露出しており、中棒２の下方、傘のハンドル３０の上面上方には吸着リング１２と同様な磁性体のリング（副吸着リング）２２が環装・固定されている。そして、傘を閉じた状態では、下ロクロ１の下端面に露出する筒状磁石１０の下面（副吸着部）２１と副吸着リング２２の上面２３とが吸着して傘を閉じた状態に保持し、下ハジキが無くても、あるいは、傘布４０に縫いつけられたネーム布（バンド）で結束しなくても、露先５０が開かず、傘を閉じた状態で固定することができるようになっている。それにより、例えば、雨天において屋内に傘を携行するときでも、下ハジキの無い傘をいちいちバンドで結束しなくても、露先５０が開かずに便利である。また、バンドを結束するときに傘布４０についた雨滴で手が濡れることもない。
【００２０】
なお本実施例では、上述したように、一つの中空円筒状磁石１０の両端面を下ロクロ１の上下端面に露出させるともに、中棒２の上方と下方にその磁石と吸着可能な磁性体のリング（１２，２２）を環装・固定しているため、一つの磁石を開傘状態と閉傘状態の双方の固定用途に使用でき、双方の用途ごとに磁石を２つ備えた構造より簡略な構造を実現している。それによって、製造工程の簡略化と、それに伴うコストダウンが期待できる。
【００２１】
＝＝＝本発明の特徴＝＝＝
本発明の下ロクロ固定構造における基本的な作用は、下ロクロ１を中棒２に対して上方に摺動させる開傘動作を行うと、下ロクロ１の上端面の吸着部１１が吸着リング１２の下面１３に当接し、双方が磁力により吸着して開傘状態に固定することにある。しかし、下ロクロ１の固定位置を従来のハジキを有する傘と同じ通常の位置にすると、傘布４０が張力が掛かった状態で全開しているとともに、受け骨４が中棒２から斜め上方へ放射状に延長する角度にあるため、傘布４０の張力が親骨３を介して受け骨４に伝わって、下ロクロ１を大きな力で押し下げようとする。本来、ハジキはこの力に抗して下ロクロ１の下方への摺動動作を阻止するものであり、ハジキを開放したときに勢いよく傘が閉じることを体験すれば、その力の大きさが小さくないことが解る。すなわち、この大きな力に抗して下ロクロ１を磁石で固定するには、極めて大きな磁力を要することになる。確かに、小型でも大きな磁力を発生させる磁石は現に存在し、従来の傘における開傘位置で下ロクロ１を磁力で固定すること自体はそれほど難しいことではない。問題は、傘を閉じるときに大きな磁力で吸着状態にある下ロクロ１の上面と磁性体リング１２を引き離す際の操作性にあり、子供などの非力な人では傘を閉じることができなくなる可能性がある。
【００２２】
本発明は、開傘状態における下ロクロ１の位置に大きな特徴があり、吸着リング１２の固定位置を適切に設定することで、大きな磁力を用いなくても下ロクロ１を磁性体リング１２に吸着させることができるようになっている。図４に、当該位置についての概略を示した。傘が閉じた状態から下ロクロ１を中棒２の上方へ摺動させていくと、受け骨４は下ロクロ１から斜め上方へ放射状に延長する角度となり、下ロクロ１を上方に摺動させるのに従って親骨３が展開し、傘布４０が張った状態で全開する（Ａ）。この間、受け骨４は下ロクロ１から斜め上方へ放射状に延長する角度となっており、下ロクロ１には傘布４０の張力が親骨３と受け骨４とを介して伝わり、下方へと押し下げられる方向に力が作用している。従来の傘では、この位置でハジキなどによって下ロクロ１を固定し、開傘状態を維持する。
【００２３】
さらに、下ロクロ１を上方に摺動させると、受け骨４は、水平状態となる。すなわち、受け骨４が中棒２に対して直交放射方向に延長する位置となる（Ｂ）。この例では、可撓性を有する受け骨４を用い、その受け骨４が傘布４０からの張力により弾性変形して撓みながら水平状態となる。この位置を臨界位置とする。臨界位置からさらに下ロクロ１を上方へ摺動させると、受け骨４は、下ロクロ１から下方に向かって放射状に延長する角度となる（Ｃ）。そして、臨界位置を境にして、傘布４０の張力は、下ロクロ１を上方へ押し上げる方向へと逆転する。もし、上方へ押し上げられている下ロクロ１を受け止める吸着リング１２がなく、さらに下ロクロ１を上方に摺動させれば、傘布４０が張力から開放され、親骨３や受け骨４には、自然に傘が閉じるような方向に力が作用する。
【００２４】
本発明では、下ロクロ１が上記臨界位置から僅かに上方の位置となるように磁性体リング１２を固定する点に大きな特徴がある。すなわち、傘布４０が親骨３に規制されて張力が係った状態で全開していて、かつ、その張力が受け骨４を介して下ロクロ１を上方向へ押し上げる力として作用しているまでの状態にあるような位置である。吸着リング１２は、下ロクロ１をさらに上方へ押し上げようとする力を受け止めるように、下ロクロ上面の吸着部１１がその下面１３に当接され、下ロクロ１の上方向へ摺動動作を停止させるとともに、吸着部１１と吸着リング１２とが磁力により吸着する。したがって、磁力による吸着力は、傘布４０に当たる風などによって、当接している下ロクロ１と磁性体リング１２とが離間しない程度の磁力でよい。また、傘を閉じるときは弱い磁力を引き離す程度の力でよく、下ロクロ１を下方に摺動させる動作に従って受け骨が弾性によってしなやかに曲がり、臨界位置を過ぎると下ロクロ１に下方向への力が加わり、速やかに傘を閉じさせるのである。
【００２５】
＝＝＝その他の実施例＝＝＝
上記実施例において、中棒２の少なくとも下ロクロ１を案内する部分の表面を被磁性体とし、吸着部１１を構成する円筒型磁石１０の内壁と中棒２の表面とが磁力によって吸着しないようにすれば、下ロクロ１は、よりなめらかに摺動する。なお、吸着部１１は、上記実施例に限らず、薄いリング状磁石などを下ロクロ１の上面に接着するなどして設けてもよい。吸着部１１の面形状は中棒２を取り囲むリングでなく、たとえば、下ロクロ１の上面に埋め込まれた磁石片であってもよい。吸着リング１２についても、吸着部１１と対面する部分にて磁力によって吸着可能であれば、リング１２の下面１３全体が磁性体や磁石である必要はない。
【００２６】
上記実施例では、下ロクロ１を中骨に対して上方へ摺動させていくと、受け骨４が弾性変形することで臨界位置を通過して臨界位置よりも上方に下ロクロを摺動させることが可能となっていた。もちろん、傘が展開した状態では、親骨は傘布の張力により下方に撓んでいることは周知の通りであり、受け骨４が高い剛性を有して可撓変形しなくても、親骨が可撓変形し、傘布４０が伸縮するので、同じように臨界位置を通過できる。
【図面の簡単な説明】
【００２７】
【図１】本発明の実施例における下ロクロ固定構造を採用した傘が開傘状態にあるときの要部斜視図である。
【図２】上記下ロクロ固定構造の概略図である。
【図３】上記傘が閉じた状態にあるときの要部斜視図である。
【図４】本発明の特徴点を説明するための概略図である。
【図５】従来の下ロクロ固定構造を採用した傘の要部斜視図である。
【符号の説明】
【００２８】
１  下ロクロ
２  中棒
３  親骨
４  受け骨
５  上ロクロ
１０  永久磁石  
１１  吸着部
１２  吸着リング
２１  副吸着部
２２  副吸着リング
３０  ハンドル
４０  傘布
【図１】
2009045360.tif 000003
【図２】
2009045360.tif 000004
【図３】
2009045360.tif 000005
【図４】
2009045360.tif 000006
【図５】
2009045360.tif 000007